(57)【特許請求の範囲】
【請求項１】
液透過性の表面シートと、液不透過性の裏面シートと、これらシート間に配された吸収体とを備え、腹側部、背側部及び股下部に区分された使い捨ておむつであって、
前記腹側部又は前記背側部に時刻を示す表示部と、該表示部に重ねて固定可能な指示部材とを有し、装着時に該指示部材を該表示部に重ねることにより装着時刻を表示できるようになされており、
前記指示部材は、脱着可能な部材であり、該脱着可能な部材は、廃棄テープである使い捨ておむつ。
【請求項２】
前記指示部材は、有色透明部を有している請求項１に記載の使い捨ておむつ。
【請求項３】
前記表示部は、順番通りに配された１〜１２の数字とグラフィックとで構成されているか、又は１〜１２の数字が順番通りに想起できるグラフィックで構成されている請求項１又は２に記載の使い捨ておむつ。
【発明の詳細な説明】
【技術分野】
【０００１】
本発明は、パンツ型や展開型等の使い捨ておむつに関する。
【背景技術】
【０００２】
使い捨ておむつを幼児に装着させて使用していると、使用中におむつの装着時間を忘れてしまい、次回のおむつの交換の時刻を予測できなかったり、幼児の排尿・排便サイクルの把握が困難になったりする場合がある。例えば、特許文献１には、フロントターゲットテープに、紙おむつの交換した時刻を記入するための記入欄を設けた紙おむつが記載されている。特許文献１に記載の紙おむつによれば、記入欄に交換した時刻を記入することにより、次回のおむつの交換の時刻を予測できる。
【０００３】
しかしながら、特許文献１に記載の紙おむつは、記入欄にペンを用いて記入するため、ペンを用意する必要があり煩わしい。
【０００４】
特許文献１とは別に、特許文献２には、生理の開始部および周期が一目で分かるように、１ヵ月分の日にちを表示する日にち表示片が設けられており、今回と次回の生理開始日となった日にち表示片に、２つの留め具を取り付けて記録する生理用ショーツが記載されている。
【０００５】
しかし、特許文献２に記載の生理用ショーツは、２つの留め具を表示片の日にちと離れた位置に取り付けて使用されるため、表示片の日にちが目立ち難い。
【先行技術文献】
【特許文献】
【０００６】
【特許文献１】特開２００４−１２１３６３号公報
【特許文献２】特開平１０−３３５９２号公報
【発明の開示】
【発明が解決しようとする課題】
【０００７】
したがって、本発明の課題は、前述した従来技術が有する欠点を解消し得る使い捨ておむつを提供することにある。
【課題を解決するための手段】
【０００８】
本発明は、液透過性の表面シートと、液不透過性の裏面シートと、これらシート間に配された吸収体とを備え、腹側部、背側部及び股下部に区分された使い捨ておむつであって、
前記腹側部又は前記背側部に時刻を示す表示部と、該表示部に重ねて固定可能な指示部材とを有し、該表示部に該指示部材を重ねることにより装着時刻を表示できるようになされている使い捨ておむつを提供するものである。
【発明の効果】
【０００９】
本発明の使い捨ておむつによれば、簡単に装着時刻を表示でき、しかも装着時刻を目立たせることができる。従って、次回のおむつの交換の時刻が予測でき、幼児の排尿・排便サイクルが把握できる。
【図面の簡単な説明】
【００１０】
【図１】図１は、本発明の実施形態であるパンツ型使い捨ておむつの斜視図である。
【図２】図２は、図１に示すパンツ型使い捨ておむつを展開して伸長した状態を外層体側から見た一部切り欠き展開平面図である。
【図３】図３、図１に示すパンツ型使い捨ておむつを展開して伸長した状態を表面シート側から見た一部切り欠き展開平面図である。
【図４】図４（ａ）は、図１に示すパンツ型使い捨ておむつの備える表示部の拡大平面図であり、図４（ｂ）は、図１に示すパンツ型使い捨ておむつの備える指示部材の拡大平面図である。
【図５】図５は、他の実施形態の使い捨ておむつの備える表示部の拡大平面図である（図４（ａ）相当図）。
【図６】図６（ａ）は、他の実施形態の使い捨ておむつの備える表示部の拡大平面図であり、図６（ｂ）は、該使い捨ておむつの備える指示部材の拡大平面図である（図４相当図）。
【図７】図７（ａ）は、他の実施形態の使い捨ておむつの備える表示部の拡大平面図であり、図７（ｂ）は、該使い捨ておむつの備える指示部材の拡大平面図である（図４相当図）。
【発明を実施するための形態】
【００１１】
以下、本発明の使い捨ておむつを、その好ましい実施形態に基づき、図１〜図４を参照しながら説明する。
【００１２】
本実施形態の使い捨ておむつ１（以下、「おむつ１」ともいう。）は、液透過性の表面シート２と、液不透過性の裏面シート３と、これらシート２，３間に配された吸収体４とを備え、腹側部Ａ、背側部Ｂ及び股下部Ｃに区分された使い捨ておむつである。
おむつ１は、図１〜図３に示すように、中心線ＣＬに対して左右対称に形成されている。
尚、各図中に示す「Ｙ」方向は、おむつ１の縦方向であり、中心線ＣＬに平行な方向であり、各図中に示す「Ｘ」方向は、おむつ１の幅方向であり、中心線ＣＬに垂直な方向である。以下、具体的に、おむつ１について説明する。
【００１３】
おむつ１は、図３に示すように、液透過性の表面シート２と、液不透過性（撥水性も含む）の裏面シート３と、両シート２，３間に介在する吸収体４とを有する実質的に縦長の吸収性本体５、及び吸収性本体５の裏面シート３側に配され接着固定された外層体６を備えている。おむつ１は、図２，図３に示すように、その縦方向（Ｙ方向）に、腹側部Ａ、股下部Ｃ及び背側部Ｂに区分されている。おむつ１Ａの腹側部Ａは、装着時に、装着者の腹側に配される部位であり、背側部Ｂは、装着者の背側に配される部位であり、股下部Ｃは、装着者の股間部に配される部位である。
尚、本明細書において、「肌対向面」とは、吸収性本体５などの各部材の表裏両面のうち、装着時に装着者の肌側に配される面であり、「非肌対向面」とは、吸収性本体５などの各部材の表裏両面のうち、装着時に装着者の肌側とは反対側に向けられる面である。
【００１４】
おむつ１において、吸収体４は、図３に示すように、縦方向（Ｙ方向）中央部分が内方に括れた砂時計状である。表面シート２及び裏面シート３は、図３に示すように、それぞれ長方形状であり、吸収体４の縦方向（Ｙ方向）の両端縁から延出した部分において互いに接合され、幅方向（Ｘ方向）の両端縁から延出した部分においても互いに接合されている。このように接合することにより、縦長の長方形状の吸収性本体５が形成されている。おむつ１は、図３に示すように、吸収性本体５の裏面シート３側に配され固定された外層体６を有している。
【００１５】
外層体６は、図２，図３に示すように、吸収性本体５の外方全域に亘って延出しており、縦方向（Ｙ方向）中央部において内方に括れている。おむつ１における外層体６の腹側部Ａの両側縁部６ａ，６ａの内面と背側部Ｂの両側縁部６ｂ，６ｂの内面同士を互いに重ね合わせ、合掌状に融着して、一対のサイド接合部７，７を形成することにより、図１に示すように、ウエスト開口部ＷＯ及び一対のレッグ開口部ＬＯ，ＬＯを有するおむつ１が形成される。
【００１６】
外層体６は、図２，図３に示すように、パンツ型使い捨ておむつの最外表面となる外層シート６１及び外層シート６１の内面側に配されている内層シート６２から形成されている。外層体６を構成する外層シート６１及び内層シート６２の間には、図１〜図３に示すように、腹側部Ａの両側縁部６ａ，６ａ間及び背側部Ｂの両側縁部６ｂ，６ｂ間に亘って複数本の弾性部材８が配されている。詳述すると、外層体６を構成する外層シート６１及び内層シート６２の間には、図１〜図３に示すように、弾性部材８であるウエスト弾性部材８１、胴廻り弾性部材８２及びレッグ弾性部材８３が配されており、腹側部Ａ及び背側部Ｂの両側縁部６ａ，６ａ，６ｂ，６ｂそれぞれには、ウエスト弾性領域（ウエストギャザー）、胴回り弾性領域（胴回りギャザー）及び環状の一対のレッグ弾性領域（レッグギャザー）が形成されている。更に詳述すると、ウエスト弾性領域（ウエストギャザー）は、複数本のウエスト弾性部材８１を、図２，図３に示すように、吸収性本体５より長手方向（Ｙ方向）外方に間欠的に配し、且つ外層体６の腹側部Ａにおける両側縁部６ａ，６ａ及び背側部Ｂにおける両側縁部６ｂ，６ｂ間に亘ってそれぞれ伸長状態で固着することにより形成されている。胴回り弾性領域（胴回りギャザー）も同様に、複数本の胴廻り弾性部材８２を、図２，図３に示すように、ウエスト弾性部材８１と外層体６の括れとの間に長手方向（Ｙ方向）に間欠的に配し、且つ外層体６の腹側部Ａにおける両側縁部６ａ，６ａ及び背側部Ｂにおける両側縁部６ｂ，６ｂ間に亘って伸長状態で固着することにより形成されている。
【００１７】
レッグ弾性領域（レッグギャザー）は、腹側部Ａにおいては、複数本のレッグ弾性部材８３を、図２，図３に示すように、腹側部Ａの一方（図２の左側）の側縁部６ａから腹側部Ａの一方（図２の左側）の括れに沿って固着し、股下部Ｃを通って、腹側部Ａの他方（図２の右側）の括れに沿って腹側部Ａの他方（図２の右側）の側縁部６ａに至るまで伸長状態で固着し、股下部Ｃの中央部（中心線ＣＬを含む部位）でカットすることにより形成されている。同様に、レッグ弾性領域（レッグギャザー）は、背側部Ｂにおいては、複数本のレッグ弾性部材８３を、図１，図２に示すように、背側部Ｂの一方（図２の左側）の側縁部６ｂから背側部Ｂの一方（図２の左側）の括れに沿って固着し、股下部Ｃを通って、背側部Ｂの他方（図２の右側）の括れに沿って背側部Ｂの他方（図２の右側）の側縁部６ｂに至るまで伸長状態で固着し、股下部Ｃの中央部でカットすることにより形成されている。
【００１８】
おむつ１においては、図１，図２に示すように、背側部Ｂに時刻を示す表示部９と、表示部９に重ねて固定可能な指示部材１０とを有し、装着時に指示部材１０を表示部９に重ねることにより装着時刻を表示できるようになされている。表示部９は、幼児等の保護者や高齢者等の介護者等から視認可能なように、パンツ型の使い捨ておむつ１においては、裏面シート３、裏面シート３のよりも外面側に位置する内層シート６２及び外層シート６１に形成することができ、裏面シート３に対しては、あざやかな印刷が可能なため、外層シート６１および内層シート６２を通しても表示部９が視認しやすくなるという観点から、裏面シート３の非肌対向面に形成されていることが好ましく、さらに裏面シート３の肌対向面に形成されるウエットインジケータ（色の変化により排尿を知らせるインジケータ）との組合せが容易であり、表示部９にウエットインジケータを組合せることにより表示部９に色変化の効果を付与することができる。例えば、表示部９のグラフィックの一部を排尿により濡れると色が変わる材料としたり、グラフィックあるいは数字の一方を濡れると色が変わる材料とすることができる。一方、裏面シート３の配置された位置とは無関係におむつ１のどこにでも表示部９を配置できる観点からは、内層シート６２あるいは外層シート６１に形成されることが好ましく、また指示部１０を何回か再固定する場合には表示部９の印刷にダメージを受けにくくするという観点から表示部９が内層シート６２の肌対向面あるいは外層シートの非肌対向面に形成されていることが好ましい。
【００１９】
表示部９は、フレキソ、グラビア、インクジェット方式等の公知の方法により、裏面シート３、内層シート６２及び外層シート６１に印刷して形成したり、刺繍を施して形成したり、印刷された別材を接着したりして形成することができ、裏面シート３に施された印刷とは別におむつ１の所定の位置に表示部９を配置することができる観点から、表示部９を印刷した別材シートで形成することが好ましい。このように別材シートで表示部９を付与することにより製造工程での位置あわせが容易となり各材料の製造ロスを少なくすることができる。
【００２０】
表示部９は、おむつ１においては、図１，図２，図４（ａ）に示すように、１〜１２の数字が順番通りに想起できるグラフィック９０で構成されている。詳述すると、グラフィック９０は、おむつ１においては、図４（ａ）に示すように、時計の図柄である。時計の図柄であることにより、図４（ａ）に示すように、１２時、３時、６時、９時を示す「１２」、「３」、「６」、「９」の数字があるだけで、「１２」と「３」の数字の間には、１時及び２時を示す「１」、「２」の数字があることが想起でき、「３」と「６」の数字の間には、４時及び５時を示す「４」、「５」の数字があることが想起でき、「６」と「９」の数字の間には、７時及び８時を示す「７」、「８」の数字があることが想起でき、「９」と「１２」の数字の間には、１０時及び１１時を示す「１０」、「１１」の数字があることが想起できる。従って、時計の図柄であるグラフィック９０においては、図４（ａ）に示すように、１２時、３時、６時、９時を示す「１２」、「３」、「６」、「９」の数字があるだけで、時刻を表す「１」〜「１２」の数字が順番通りに想起できる。そのため、指示部材１０は、直接時刻を示す表示部の数字と重なっていなくても、時計の針のように装着時刻を表示することができる。尚、図４（ａ）に示すグラフィック９０においては、１２時、３時、６時、９時を示す「１２」、「３」、「６」、「９」の数字が時計の図柄とセットで表示されているが、少なくとも１２時を示す「１２」の数字と時計の図柄とがセットで表示されていればよい。
【００２１】
時計の図柄であるグラフィック９０は、幼児等の保護者や高齢者等の介護者等が目視にて確認しやすいとの観点から、４〜４００ｃｍ2であることが好ましく、２５〜２５０ｃｍ2であることが更に好ましい。
【００２２】
１〜１２の数字が順番通りに想起できるグラフィック９０としては、上述した図４（ａ）に示す時計の図柄以外に、例えば、図５に示すような図柄が挙げられる。図５に示す図柄について説明すると、暦の上で１年を１２に区分した各月と、時刻を表す「１」〜「１２」の数字とを関連付けることにより、１〜１２の数字が順番通りに想起できるようになっている。即ち、「1」月を代表するイメージの雪だるまの図柄により時刻の「１」時が想起され、「２」月を代表するイメージのバレンタインデーのハートの図柄により時刻の「２」時が想起され、「３」月を代表するイメージの桃の図柄により時刻の「３」時が想起され、「４」月を代表するイメージの桜の花びらの図柄により時刻の「４」時が想起され、「５」月を代表するイメージの鯉のぼりの図柄により時刻の「５」時が想起され、「６」月を代表するイメージの雨の傘の図柄により時刻の「６」時が想起され、「７」月を代表するイメージの七夕の星の図柄により時刻の「７」時が想起され、「８」月を代表するイメージの太陽の図柄により時刻の「８」時が想起されるように、表示部９は、図５に示すように、Ｘ方向の左側から右側に向かって、「1」月の雪だるまの図柄と時刻の「１」時とのセット、「２」月のバレンタインデーのハートの図柄と時刻の「２」時とのセット、・・・「８」月の太陽の図柄と時刻の「８」時とのセット、・・・が順に表示されており、その中の例えば、数字の「３」を想起できるように、「２」月のバレンタインデーのハートの図柄と時刻の「２」時とのセット及び「４」月の桜の花びらの図柄と時刻の「４」時とのセットの間に、「３」月の桃の図柄のみが表示されて構成されている。このように構成されたグラフィック９０からなる表示部９により、「１」〜「１２」の数字全てが記載されていなくても、時刻を表す「１」〜「１２」の数字が順番通りに想起できる。
【００２３】
各月を代表するイメージの図柄それぞれは、幼児等の保護者や高齢者等の介護者等が目視にて確認しやすいとの観点から、０．２５〜１００ｃｍ2であることが好ましく、１〜１０ｃｍ2であることが更に好ましい。
【００２４】
固定可能な指示部材１０は、おむつ１においては、図１，図２，図４（ｂ）に示すように、脱着可能な廃棄テープである。廃棄テープである指示部材１０は、細帯状のテープをその長手方向に３つ折りに折り畳んだＺ型形態に形成されている。Ｚ型形態の指示部材１０は、使用前においてはＺ型形態を維持し、使用に際しては、引き出して、外層体６の外層シート６１に止着することにより、おむつ１の巻き上げ形態を維持するように、Ｚ型形態のテープ同士の対向面には粘着材が塗布されている。塗布される該粘着剤としては、通常の粘着剤、例えば、スチレン−ブタジエンブロック共重合体、スチレン−イソプレンブロック共重合体、アクリル酸エステル、アクリル共重合体、酢酸ビニル、エチレン−酢酸ビニル共重合体等のホットメルト樹脂あるいはエマルジョンを用いることができる。
【００２５】
また、Ｚ型形態の指示部材１０は、その底面全体に再固定可能な粘着材が塗布されていたり、または、最外装が不織布の場合にはその底面にマジックテープ（登録商標）を接着していてもよく、外層体６の外層シート６１に脱着可能に形成されている。塗布される再固定可能な粘着材としては、フィルム基材用粘着材に対して再固定可能な特殊アクリル系の粘着剤等を用いることができる。ここでＺ型形態の指示部材１０の粘着材は、Ｚ型に折り畳まれたテープの対向面同士の接着力Ａと指示部材１０の底面とおむつ１との接着力Ｂ（係合力Ｂ）との関係が、接着力Ａ＜接着力Ｂ（係合力Ｂ）となるようにされている。このようにすることで廃棄テープとして用いる際Ｚ型のテープを剥離して伸ばすときにおむつ１から指示部材１０が外れることなしに使用することができる。このような接着力の関係となるように粘着材を塗布されたテープ対向面を処理する剥離剤を選定したり、テープに塗布する粘着材の量を調整したり、あるいは種類を変えたりすることで上記関係とすることが可能である。
【００２６】
廃棄テープである指示部材１０は、表示部９に重ねられた際に、時計の図柄であるグラフィック９０を、指示部材１０を通して、幼児等の保護者や高齢者等の介護者等が確認できる観点から、無色透明又は有色透明なテープで形成されていることが好ましく、一般的に使い捨ておむつの構成材料が白色である為、グラフィック９０の装着時刻を一層目立たせる観点から、有色透明なテープで形成されていることが更に好ましい。有色透明なテープは、３つ折りに折り畳んだ使用前のＺ型形態における光透過率が、３０％以上であることが好ましく、４０％以上であることが更に好ましい。光透過率は、全光線透過率であり、ＪＩＳ  Ｋ７１０５に準じて測定することができる〔測定装置：日本電色工業株式会社  ＮＤＨ５０００〕。
【００２７】
本実施形態のおむつ１の形成材料について説明する。
吸収性本体５を構成する表面シート２、裏面シート３及び吸収体４としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができ、吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。
【００２８】
外層体６を構成する外層シート６１と内層シート６２としては、通常、使い捨ておむつ等の吸収性物品に用いられるものであれば、特に制限なく用いることができる。例えば、外層シート６１及び内層シート６２としては、撥水性の不織布を用いることができる。
【００２９】
弾性部材８であるウエスト弾性部材８１、胴廻り弾性部材８２及びレッグ弾性部材８３としては、通常、使い捨ておむつ等の吸収性物品に用いられるものであれば、特に制限なく用いることができる。例えば、ウエスト弾性部材８１、胴廻り弾性部材８２及びレッグ弾性部材８３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３０】
上述した本発明の本実施形態のおむつ１を使用した際の作用効果について説明する。
おむつ１は、図１に示すように、背側部Ｂに時刻を示す表示部９と、表示部９に重ねて固定可能な指示部材１０とを有している。このようなおむつ１は、幼児等の保護者や高齢者等の介護者が、おむつ１を幼児や高齢者に装着させる装着時に、指示部材１０を表示部９に重ねることにより装着時刻を表示できるようになされてので、簡単に装着時刻を表示でき、しかも指示部材１０と表示部９とが重なっているので、装着時刻を目立たせることができる。従って、おむつ１を使用すれば、幼児等の保護者や高齢者等の介護者が、次回のおむつの交換の時刻を予測することができ、幼児の排尿・排便サイクルを把握することもできる。また、おむつ１は、図１に示すように、背側部Ｂに表示部９と指示部材１０とが配されているので、特に装着者が幼児である場合には、指示部材１０を表示部９から外したりする等の悪戯を防止することができる。
【００３１】
おむつ１は、図１，図４（ａ），図５に示すように、１〜１２の数字が順番通りに想起できるグラフィック９０で構成された表示部９を備えているので、（例えば１２などの代表的な数字1つを残して）連続した数字の一部の表記を省略することができ、デザイン性を向上することができる。
【００３２】
おむつ１の備える指示部材１０は、再固定可能に形成されているので、固定場所を間違えた場合に、正しい固定場所に固定し直すことができ、使いまわして使用することもできる。また、おむつ１の備える指示部材１０は、図１，図２，図４（ｂ）に示すように、脱着可能な廃棄テープであるので、おむつ１の使用後におむつ１を巻き上げ、巻き上げた状態を維持するように固定して、おむつ１と共に廃棄することができる。
【００３３】
本発明の使い捨ておむつは、上述の本実施形態の使い捨ておむつ１に何ら制限されるものではなく、適宜変更可能である。
例えば、上述の実施形態のおむつ１においては、図１，図２に示すように、背側部Ｂに時刻を示す表示部９と、表示部９に重ねて固定可能な指示部材１０とを有しているが、腹側部Ａに表示部９及び指示部材１０を有していてもよい。このように腹側部Ａに表示部９及び指示部材１０を有していれば、装着者が仰向けで寝る場合には育児者や介護者が時刻確認をしやすくなる、また育児者や介護者だけでなく、装着者本人が時刻認識することができるため、コミュニケーションをとることや教育をすることができる。
【００３４】
また、上述の本実施形態のおむつ１においては、表示部９が、図４（ａ），図５に示すように、１〜１２の数字が順番通りに想起できるグラフィック９０で構成されているが、図６（ａ），図７（ａ）に示すように、順番通りに配された１〜１２の数字９１とグラフィック９２とで構成されていてもよい。図６（ａ）の表示部９について詳述すると、１２枚の花びらのグラフィック９２と、１２枚の花びらのグラフィック９２それぞれに、時計回りに１〜１２の数字９１が順番通りに表示されている。図７（ａ）の表示部９について詳述すると、機関車の１２両の車両のグラフィック９２’と、１２両の車両のグラフィック９２’それぞれに、Ｘ方向の左側から右側に向かって１〜１２の数字９１’が順番通りに表示されている。このように、順番通りに配された１〜１２の数字９１とグラフィック９２とで構成されたグラフィック９０を備えていることにより、前後に記されている数字から指示部材１０の下の数字を判断できるため時刻の視認性を高めることができる。
【００３５】
また、上述の本実施形態のおむつ１においては、固定可能な指示部材１０が、図１，図２に示すように、脱着可能な廃棄テープであるが、脱着可能でなくてもよく、また、脱着可能な部材であったとしても廃棄テープでなくてもよい。例えば、表示部９が、図６（ａ）に示すような、１２枚の花びらのグラフィック９２と「１〜１２」の数字９１とからなる場合には、指示部材１０は、図６（ｂ）に示すように、花びら１枚のグラフィック９２の輪郭に対応する花びらのシールであったり、図７（ｂ）に示すように、キャラクターのシールであってもよい。指示部材１０が、図６（ｂ），図７（ｂ）に示すような花びらのシールやキャラクターのシールである場合には、全体が有色不透明に形成されていてもよく、全体が有色透明に形成されていてもよく、数字９１に対応する部分のみが有色透明な部分となるように形成されていてもよい。
【００３６】
また、例えば、上述の実施形態のおむつ１Ｂは、図１に示すように、パンツ型使い捨ておむつであるが、所謂、展開型の使い捨ておむつであってもよい。
【符号の説明】
【００３７】
１  使い捨ておむつ
２  表面シート
３  裏面シート
４  吸収体
５  吸収性本体
６  外層体
６ａ  腹側部Ａの側縁部
６ｂ  背側部Ｂの側縁部
６１  外層シート
６２  内層シート
７  サイド接合部
８  弾性部材
８１  ウエスト弾性部材、８２  胴廻り弾性部材、８３  レッグ弾性部材
９  表示部
９０  グラフィック
９１，９１’  数字
９２，９２’  グラフィック
１０  指示部材
【図１】
0005592768.tif 000002
【図２】
0005592768.tif 000003
【図３】
0005592768.tif 000004
【図４】
0005592768.tif 000005
【図５】
0005592768.tif 000006
【図６】
0005592768.tif 000007
【図７】
0005592768.tif 000008